(57)【特許請求の範囲】
【請求項１】
複数の竿体が振出形式で連結されかつ前記複数の各竿体内部に釣糸通路が形成された中通し竿の穂先側に取り付けられ、糸通し具による釣糸挿通操作を容易に行うためのトップカバーであって、
前記複数の竿体の穂先側を内部に収納可能な円筒型の本体部と、
前記本体部に設けられ、前記複数の竿体のうち竿元側に配置される竿体の穂先側先端外周面に前記本体部を取り付けるための取付部と、
前記本体部の穂先側端面を覆うように配置され、ゴム製の膜状部材である弾性部材とを備え、
前記弾性部材を介して前記糸通し具を掴み前記穂先側から引き抜くようにした
ことを特徴とするトップカバー。
【請求項２】
前記弾性部材は穂先側に突出している突出部を有する、請求項１に記載のトップカバー。
【請求項３】
前記弾性部材は透明または半透明である、請求項１または２に記載のトップカバー。
【請求項４】
複数の竿体が振出形式で連結されかつ前記複数の各竿体内部に釣糸通路が形成された中通し竿の穂先側に取り付けられ、糸通し具による釣糸挿通操作を容易に行うためのトップカバーであって、
前記複数の竿体の穂先側を内部に収納可能な円筒型の本体部と、
前記本体部に設けられ、前記複数の竿体のうち竿元側に配置される竿体の穂先側先端外周面に前記本体部を取り付けるための取付部と、
前記本体部の穂先側端面を覆うように配置され、袋状部材とを備え、
前記袋状部材を介して前記糸通し具を掴み前記穂先側から引き抜くようにした
ことを特徴とするトップカバー。
【発明の詳細な説明】
【０００１】
【発明の属する技術分野】
本発明は、トップカバー、特に、複数の竿体が振出形式で連結されかつ各竿体に釣糸通路が形成された振出式中通し竿に用いるトップカバーに関する。
【０００２】
【従来の技術】
振出式の中通し竿は、複数の竿体の内部に釣糸通路を形成するとともに、竿元側の竿体に釣糸通路にリールからの釣糸を挿入するための釣糸導入孔を形成したものである。この振出式の中通し竿の釣糸通路に釣糸を挿通するために糸通し具が用いられる。
【０００３】
この従来の糸通し具は金属製ワイヤの先端にキャップを設け、後端に釣糸を係止可能な釣糸係止部を設けたものである。この糸通し具で中通し竿の釣糸通路に釣糸を挿通させる場合（以下「釣糸挿通操作」という）には、中通し竿の複数の竿体を順次竿元側の竿体に収納する。そして、糸通し具の釣糸係止部にリールからの釣糸を係止した後に、先端のキャップを釣糸導入孔に挿入し、順次穂先側に送って穂先側から外部に導出する。
【０００４】
このような糸通し具を用いて釣糸挿通操作を行う場合、中通し竿の穂先側を下方に向けて作業を行う場合がある。しかし、中通し竿の穂先側を下方に向けて釣糸挿通操作を行うと作業中に穂先側の竿体が飛び出してしまう場合がある。そこで、穂先側の竿体を係止するための係止栓を竿元側の竿体に装着して、穂先側の竿体が飛び出さないようにした中通し竿などが知られている。
【０００５】
【発明が解決しようとする課題】
前記係止栓を装着した中通し竿では、穂先側の竿体を必要な際には竿元側の竿体から穂先側に引き出す必要があり、当然、穂先側の竿体を竿元側の竿体に完全に固定したものではない。このため、釣糸挿通操作時に、穂先側の竿体が前方に落下してしまう場合もあり得る。また、このような係止栓を別途設けて中通し竿を製造するのは煩雑である。
【０００６】
本発明の課題は、中通し竿の釣糸挿通操作を容易に行うことができるトップカバーを提供することにある。
【０００７】
【課題を解決するための手段】
発明１にかかるトップカバーは、複数の竿体が振出形式で連結されかつ前記複数の各竿体内部に釣糸通路が形成された中通し竿の穂先側に取り付けられ、糸通し具による釣糸挿通操作を容易に行うためのトップカバーであって、複数の竿体の穂先側を内部に収納可能な円筒型の本体部と、本体部に設けられ複数の竿体のうち竿元側に配置される竿体の穂先側先端外周面に本体部を取り付けるための取付部と、本体部の穂先側端面を覆うように配置され、ゴム製の膜状部材である膜状の弾性部材とを備え、前記弾性部材を介して前記糸通し具を掴み前記穂先側から引き抜くようにしたことを特徴とする。
【０００８】
この場合には、穂先側の竿体を竿元側の竿体内に収納して、トップカバーを中通し竿の竿元側に配置される竿体の穂先側に被せて取付部によって固定する。そして、トップカバーを竿元側に配置される竿体に固定したまま、周知の糸通し具によって釣糸挿通操作を行う。この際、穂先側を下方に向けたまま釣糸挿通操作を行っても、トップカバーが竿元側に配置される竿体内に収納されている竿体が穂先側に飛び出すのを抑える。
【０００９】
糸通し具がトップカバーに至った後、弾性部材を介してトップカバー内部の糸通し具を掴み保持する。そして、トップカバーを竿体から取り外すとともに糸通し具を穂先側から引き出す。このようにして、釣糸を釣糸通路に容易に挿通させることができる。
【００１０】
発明２にかかるトップカバーは、発明１のトップカバーであって、弾性部材は穂先側に突出している突出部を有している。
【００１１】
この場合には、釣糸挿通操作時において、糸通し具の先端を弾性部材の突出部内に到達させて、この弾性部材の突出した部分を摘んで糸通し具を保持することが可能である。このようにして釣糸挿通操作がより容易になる。
発明３にかかるトップカバーは、発明１または２のトップカバーであって、弾性部材は透明または半透明である。
【００１２】
この場合には、釣糸挿通操作時に弾性部材に至った糸通し具の先端部を外部より視認して掴むことができ、釣糸挿通操作がより容易になる。
【００１３】
発明４にかかるトップカバーは、複数の竿体が振出形式で連結されかつ前記複数の各竿体内部に釣糸通路が形成された中通し竿の穂先側に取り付けられ、、糸通し具による釣糸挿通操作を容易に行うためのトップカバーであって、複数の竿体の穂先側を内部に収納可能な円筒型の本体部と、本体部に設けられ複数の竿体のうち竿元側に配置される竿体の穂先側先端外周面に本体部を取り付けるための取付部と、本体部の穂先側端面を覆うように配置された袋状部材とを備え、前記袋状部材を介して前記糸通し具を掴み前記穂先側から引き抜くようにしたことを特徴とする。
【００１４】
この場合には、穂先側の竿体を竿元側の竿体内に収納して、トップカバーを中通し竿の竿元側に配置される竿体の穂先側に被せて取付部によって固定する。そして、トップカバーを竿元側に配置される竿体に固定したまま、周知の糸通し具によって釣糸挿通操作を行う。この際、穂先側を下方に向けたまま釣糸挿通操作を行っても、トップカバーが竿元側に配置される竿体内に収納されている竿体が穂先側に飛び出すのを抑える。
【００１５】
糸通し具がトップカバーに至った後、袋状部材を介してトップカバー内部の糸通し具を掴み保持する。そして、トップカバーを竿体から取り外すとともに糸通し具を穂先側から引き出す。このようにして、釣糸を釣糸通路に容易に挿通させることができる。
【００１６】
【発明の実施の形態】
［第１実施形態］
以下、本発明の第１実施形態について図面を参照しつつ説明する。
【００１７】
図１に示すように、本発明の第１実施形態を採用したトップカバー１０を装着する中通し竿は、元竿１と、元竿１の穂先側に連結された第１中竿２及び第２中竿３と、第２中竿３の穂先側に連結された穂先竿４とを有している。これら元竿１〜穂先竿４は炭素繊維またはガラス繊維，チラノ繊維等に合成樹脂を含浸させたプリプレグから形成される先細り筒状部材であって、内部に釣糸通路１００を有する（図３等参照）。そして、第１中竿２〜穂先竿４は穂先側から順次竿元側の竿体の内部に挿入され出し入れ自在になっており、いわゆる振出形式で連結されている。
【００１８】
元竿１は、外周面に形成されリール５を脱着自在に装着可能なリールシート６と、穂先側外周面に形成されリール５からの釣糸Ｌを竿体内部に導入する釣糸導入孔７が形成されている。さらに、穂先竿４の穂先側端部にはトップガイド８が取り付けられており、リールからの釣糸Ｌは釣糸導入孔７を通り釣糸通路１００に導かれて、穂先側のトップガイド８より外部へ導かれる。
【００１９】
上述の中通し竿の穂先竿４及び第２中竿３を第１中竿２内に順次収納し、第１中竿２を元竿１の穂先側に引き出した状態で、図２及び図３に示すように、中通し竿の穂先側にトップカバー１０が取り付けられる。
【００２０】
このトップカバー１０は、図３に詳しく示すように、円筒型の本体部１１と、本体部１１の竿元側外周面に設けられた係止突起１２と、本体部１１の竿元側に配置されたゴムバンド１３とを有している。
【００２１】
本体部１１は、内部に中通し竿の元竿１の穂先側を収納可能な程度の内径を有する円筒形部材であり、竿元側の一部分が竿元側に伸びこの部分に係止突起１２が本体部１１と一体的に形成されている。また穂先側には穂先側端面を覆うようにゴム部材１４が貼り付けられている。本体部１１は、例えば、合成樹脂や金属等によって形成可能であるが、内部が目視可能な透明または半透明の合成樹脂で形成するのが好ましい。
【００２２】
ゴムバンド１３は、本体部１１の係止突起１２付近に一端が固定され、他端側に係止突起１２に係止可能な複数の係止孔１３ａが形成されたゴム製の部材である。中通し竿の竿体にトップカバー１０を填め込んだ状態でゴム部材１０を巻回して、トップカバー１０を中通し竿に取り付け可能である。
【００２３】
ゴム部材１４はゴム製の膜状部材であって、本体部１１の穂先側の開口を覆うように配置されている。また、中央付近がやや穂先側（図３の左側）に突出しており、突出部１４ａとなっている。このゴム部材１４は、天然ゴムやブタジエンゴム，シリコンゴム等の合成ゴム等から形成される。特に、このゴム部材１４は外部から内部が視認可能なように透明または半透明のゴムを用いて形成するのが好ましい。
【００２４】
一方、中通し竿に釣糸を挿通するために用いられる糸通し具２０は、金属製ワイヤーからなる本体部２１と、本体部２１の先端に設けられた先端部２２と、本体部２１の後端に設けられ釣糸Ｌを係止可能な釣糸係止部２３とを有している。本体部２１は複数の金属線を寄り合わせてワイヤー状に形成したものであり、屈曲自在である。
【００２５】
この中通し竿では以下のように釣糸挿通操作を行う。
【００２６】
図２に示すように、中通し竿の第１中竿２内に穂先竿４及び第２中竿３を順次収納して、元竿１の穂先側に第１中竿２のみが引き出されて連結された状態とし、トップカバー１０を第１中竿２の穂先側に被せる。そして、ゴムバンド１３を巻回し係止突起１２に係止してトップカバー１０を第１中竿２に固定する。このように、トップカバー１０を第１中竿２に固定したまま、糸通し具２０によって釣糸挿通操作を行う。即ち、図３に示すように、糸通し具２０の釣糸係止部２３に釣糸Ｌを係止し、中通し竿の穂先側を下方に向けたまま釣糸導入孔７から糸通し具２０を釣糸通路１００内に挿入する。そして、穂先側のトップカバー１０に糸通し具２０が至り、先端部２２が突出部１４ａへ到達した状態で、ゴム部材１４を介して糸通し具２０を掴み、トップカバー１０を取り外すとともに糸通し具２０を穂先側から引き抜く。
【００２７】
なお、周知のように、収納時には穂先竿４〜第１中竿２を元竿１内に収納して、元竿１の穂先側にトップカバー１０を取付けられる。
【００２８】
以上のように、中通し竿の穂先側を下方に向けたまま釣糸挿通操作を行っても、トップカバー１０が第１中竿２に取り付けられているので、第１中材２内に収納されている第２竿体３及び穂先竿４が穂先側に飛び出すことはない。また、トップカバー１０のゴム部材１４を介して糸通し具２０の先端部２２を保持可能である。このようにして、トップカバー１０を第１中竿２から取り外すとともに糸通し具２０を穂先側から引き出すことができ、釣糸Ｌを釣糸通路１００に容易に挿通させることができる。
【００２９】
［第２実施形態］
以下、本発明の第２実施形態について図面を参照しつつ説明する。
【００３０】
本発明の第２実施形態を採用したトップカバー３０は、図４に詳しく示すように、円筒型の本体部３１と、本体部３１の竿元側外周面に設けられた係止突起３２と、本体部３１の竿元側に配置されたゴムバンド３３とを有している。
【００３１】
本体部３１は、内部に中通し竿の元竿１の穂先側を収納可能な程度の内径を有する円筒形部材であり、竿元側の一部分が竿元側に伸びこの部分に係止突起３２が本体部３１と一体的に形成されている。また穂先側には穂先側端面を覆うようにナイロン等の合成繊維からなる袋状部材３４の開口側が貼り付けられている。
【００３２】
袋状部材３４は、糸通し部２０の先端部２２が挿入可能な程度の大きさがあれば足り、内部が目視可能なように網状になっていてもよい。
【００３３】
なお、その他の構成は第１実施形態と同様であり説明を省略する。
【００３４】
この中通し竿では以下のように釣糸挿通操作を行う。
【００３５】
第１実施形態と同様に、中通し竿の第１中竿２内に穂先竿４及び第２中竿３を順次収納して、元竿１の穂先側に第１中竿２のみが引き出されて連結された状態とし、トップカバー３０を第１中竿２の穂先側に被せる。そして、ゴムバンド３３を巻回し係止突起３２に係止してトップガイド３０を第１中竿２に固定する。このように、トップカバー３０を第１中竿２に固定したまま、糸通し具２０によって釣糸挿通操作を行う。即ち、糸通し具２０の釣糸係止部２３に釣糸Ｌを係止し、中通し竿の穂先側を下方に向けてまま釣糸導入孔７から糸通し具２０を釣糸通路１００内に挿入する。そして、糸通し具２０の先端部２２が穂先側のトップカバー３０の袋状部材３４内に到達した状態で、袋状部材３４を介して糸通し具２０を掴み、トップカバー３０を取り外すとともに糸通し具２０を穂先側から引き抜く。
【００３６】
［他の実施形態］
（ａ）中通し竿の竿体数は上記実施形態に限定されるものではない。様々な中通し竿に用いることができる。
【００３７】
【発明の効果】
本発明にかかるトップカバーによれば、中通し竿の釣糸通路に釣糸を容易に挿通させることができる。
【図面の簡単な説明】
【図１】中通し竿の全体図。
【図２】本発明の第１実施形態を採用したトップカバーを中通し竿に装着した図。
【図３】図２のトップカバーの断面図。
【図４】本発明の第２実施形態を採用したトップカバーの断面図。
【符号の説明】
１  元竿
４  穂先竿
１０  トップカバー
１１，３１  本体部
１２，３２  係止突起
１３，３３  ゴムバンド
１４  ゴム部材
２０  糸通し具
２１  本体部
２２  先端部
２３  釣糸係止部
３４  袋状部材
【図１】
0004036405.tif 000002
【図２】
0004036405.tif 000003
【図３】
0004036405.tif 000004
【図４】
0004036405.tif 000005